(57)【特許請求の範囲】
【請求項１】
原稿のサイズを検知する原稿サイズ検知手段と、
複数の給紙段に関して各給紙段の転写紙の紙種を設定する紙種設定手段と、
画像を形成する転写紙の紙種を選択する紙種選択手段と、
定型的な画像形成倍率を設定する倍率設定手段と、
定型的な画像形成倍率に対する倍率補正値を紙種毎に設定する紙種別倍率設定手段と、
原稿サイズと画像形成倍率とに基づき最適サイズの転写紙を有する給紙段を自動的に選択する自動用紙選択手段と、
を備えることを特徴とする画像形成装置。
【請求項２】
転写紙の紙種は、トレーシングペーパ、フィルム用紙を含むことを特徴とする請求項１記載の画像形成装置。
【請求項３】
紙種別倍率設定手段により設定された紙種毎の倍率補正値は、再設定されるまで不揮発的に保存されることを特徴とする請求項１記載の画像形成装置。
【請求項４】
紙種別倍率設定手段による倍率補正値の設定時に、紙種選択手段により選択されている給紙段の紙種が設定対象として選択されることを特徴とする請求項１記載の画像形成装置。
【請求項５】
紙種別倍率設定手段により設定された倍率補正値は、紙種選択手段又は自動用紙選択手段により選択された給紙段の転写紙の紙種に対応する補正値が用いられることを特徴とする請求項１記載の画像形成装置。
【請求項６】
自動用紙選択手段は、紙種選択手段により紙種が選択されている場合にはその紙種の転写紙を有する給紙段中から最適サイズの転写紙を有する給紙段を選択することを特徴とする請求項１記載の画像形成装置。
【請求項７】
自動用紙選択手段は、紙種選択手段により紙種が選択されている場合にはその紙種及び同一傾向の紙種の転写紙を有する給紙段中から最適サイズの転写紙を有する給紙段を選択することを特徴とする請求項１記載の画像形成装置。
【請求項８】
自動用紙選択手段は、紙種選択手段により紙種が選択されていない場合には全ての給紙段中から最適サイズの転写紙を有する給紙段を選択することを特徴とする請求項１，６又は７記載の画像形成装置。
【発明の詳細な説明】
【０００１】
【発明の属する技術分野】
本発明は、画像を形成する転写紙の紙種選択機能を有する画像形成装置に関する。
【０００２】
【従来の技術】
近年、各種分野において地球環境保護が叫ばれ、画像形成装置においても地球環境保護を目的とした機種が増えてきている。例えば、低消費電力を意図した機種、紙やトナーの消費量低減を意図した機種等、様々な機能を搭載した機種がある。この結果、普通紙のみならず、再生紙などの再利用化を図った転写紙を使用し得る機種が当たり前のようになってきている。
【０００３】
反面、デジタル複写機等の高機能機も増えており、アナログ機ではできなかった読取りデータの保存・加工が可能なため、各種の機能が可能とされている。もっとも、コスト的にはアナログ機に比べて高くなることは否めないため、付加機能で価値観を生み出すことで、アナログ機に対抗している現状にある。従って、デジタル機にあっても、極力コストを抑えつつ、付加機能の価値観を出しやすく、かつ、大量生産によるコスト減を見込める普及層クラスの機種が主流を占めている。
【０００４】
【発明が解決しようとする課題】
しかし、デジタル複写機のメリット、即ち、付加機能のメリットが近年益々優位となりつつあり、普及層クラス以外、例えば、Ａ２サイズの原稿、転写紙を扱う広幅機種にも広がりを見せ始めている。このようなことから、普及層クラスの機能に広幅の機能を付加した機種が出現し始めている。
【０００５】
つまり、従来のＡ３縦サイズ規模の画像形成装置ではできなかったＡ２縦サイズ規模の画像形成装置の機能が新機能であり、Ａ２サイズの画像形成が可能であることから、多種類の転写紙の利用が見込まれ、普及層クラスの画像形成装置の機能も考慮しつつ、多種類の転写紙を有効利用し得る画像形成装置の提供が望まれている。
【０００６】
特に、多種類の転写紙としては、転写紙サイズもさることながら、使用し得る紙種も多様化しており、例えば、Ａ２サイズのような広幅機種では、設計図面等のコピー用にトレーシングペーパやＯＨＰ用のフィルム等にも対応し得ることが要望される。
【０００７】
そこで、本発明は、定型的な倍率設定に加えてその倍率微調整を可能とするが、紙種毎に倍率補正値の設定を可能とすることで利用形態に応じた対応を採ることができる画像形成装置を提供することを目的とする。
【０００８】
また、紙種毎の倍率補正値の設定と紙種の選択との対応性がよく、設定・選択の操作性のよい画像形成装置を提供することを目的とする。
【０００９】
さらには、自動用紙選択手段による用紙選択の最適性を向上させ得る画像形成装置を提供することを目的とする。
【００１０】
【課題を解決するための手段】
請求項１記載の発明は、原稿のサイズを検知する原稿サイズ検知手段と、複数の給紙段に関して各給紙段の転写紙の紙種を設定する紙種設定手段と、画像を形成する転写紙の紙種を選択する紙種選択手段と、定型的な画像形成倍率を設定する倍率設定手段と、定型的な画像形成倍率に対する倍率補正値を紙種毎に設定する紙種別倍率設定手段と、原稿サイズと画像形成倍率とに基づき最適サイズの転写紙を有する給紙段を自動的に選択する自動用紙選択手段とを備える。従って、紙種毎に倍率を微調整設定することができ、画像を形成する転写紙の紙種に応じた対応を採ることができる。この結果、普及層クラスの多機能性と広幅機種による多種類の転写紙への適応性との両立を適正に実現できる。
【００１１】
請求項２記載の発明は、請求項１記載の画像形成装置における転写紙の紙種は、トレーシングペーパ、フィルム用紙を含む。従って、対象紙種中にトレーシングペーパやフィルム用紙を含んでいるので、設計図等の図面複写においてもその倍率微調整を適正に行える。
【００１２】
請求項３記載の発明は、請求項１記載の画像形成装置において紙種別倍率設定手段により設定された紙種毎の倍率補正値は、再設定されるまで不揮発的に保存される。従って、一旦設定された紙種毎の倍率補正値が電源オフでもモードクリアでも初期化されずに保存されるので、次の使用時にもそのまま使用することができ、多用される倍率補正値に関しては標準化を図ることができ、操作性が向上する。
【００１３】
請求項４記載の発明は、請求項１記載の画像形成装置において、紙種別倍率設定手段による倍率補正値の設定時に、紙種選択手段により選択されている給紙段の紙種が設定対象として選択される。従って、紙種選択手段により既に給紙段の紙種が選択されていれば、紙種別倍率設定手段による倍率補正値の設定時もその紙種が自動的に設定対象となるので、紙種毎の倍率補正値の設定と紙種の選択との対応性がよく、設定・選択の操作性が向上する。
【００１４】
請求項５記載の発明は、請求項１記載の画像形成装置において、紙種別倍率設定手段により設定された倍率補正値は、紙種選択手段又は自動用紙選択手段により選択された給紙段の転写紙の紙種に対応する補正値が用いられる。従って、紙種別倍率設定手段により倍率補正値が設定されている場合には、紙種選択手段又は自動用紙選択手段により選択された給紙段の転写紙の紙種に対応する補正値が用いられるので、紙種の変更によって用いる倍率補正値が狂うことはない。
【００１５】
請求項６記載の発明は、請求項１記載の画像形成装置の自動用紙選択手段は、紙種選択手段により紙種が選択されている場合にはその紙種の転写紙を有する給紙段中から最適サイズの転写紙を有する給紙段を選択する。従って、選択された紙種を優先させた画像形成動作をより適正に行わせることができる。
【００１６】
請求項７記載の発明は、請求項１記載の画像形成装置の自動用紙選択手段は、紙種選択手段により紙種が選択されている場合にはその紙種及び同一傾向の紙種の転写紙を有する給紙段中から最適サイズの転写紙を有する給紙段を選択する。従って、仮に選択された紙種の転写紙が存在しない場合でも、次善の策として、極力要望に近い紙種で画像形成動作を行わせることができる。
【００１７】
請求項８記載の発明は、請求項１，６又は７記載の画像形成装置の自動用紙選択手段は、紙種選択手段により紙種が選択されていない場合には全ての給紙段中から最適サイズの転写紙を有する給紙段を選択する。従って、紙種にこだわらない場合には、通常通りに自動用紙選択手段を機能させることができる。
【００１８】
【発明の実施の形態】
本発明の一実施の形態を図面に基づいて説明する。本発明を採用したデジタル複写機の概略構造とその作用とを図１により説明する。このデジタル複写機は、Ａ２縦サイズ対応機種であって、読取ユニット１と作像ユニット２とを主体として構成されている。
【００１９】
前記読取ユニット１はコンタクトガラス３上にセットされ又は搬送された原稿の画像を走査光学系４により光学的に読み取るものである。この走査光学系４は、露光ランプ５、第１ミラー６、第２ミラー７、第３ミラー８、結像レンズ９及びＣＣＤイメージセンサ１０等により構成されている。前記露光ランプ５と第１ミラー６とは第１キャリッジ（図示せず）上に搭載され、第２，第３ミラー７，８は第２キャリッジ（図示せず）上に搭載され、原稿画像読取時には光路長が変わらないように第１キャリッジと第２キャリッジとが２：１の速度比で同一方向に機械的に移動する。これらの第１，第２キャリッジの駆動はスキャナ駆動モータ（図示せず）により行なわれる。ここに、コンタクトガラス３上の原稿画像は走査光学系４による読取走査を受けることにより、ＣＣＤイメージセンサ１０上に縮小結像され、光電変換処理を経て電気信号となるように読み取られる。
【００２０】
このような読取ユニット１のコンタクトガラス３上には自動原稿送り装置（ＡＤＦ）１１が搭載されている。このＡＤＦ１１は、原稿台１２と給紙ローラ１３とコンタクトガラス３上に位置する給紙搬送ベルト１４と排紙ローラ１５と原稿排紙トレイ１６とにより構成されている。原稿台１２の入り口付近には原稿セット検知センサ１７が設けられている。これにより、原稿台１２上に画像面を上向きにして積載された原稿束は、後述する操作部上のプリントキーが押下されると、最下位の原稿から給紙ローラ１３、給紙搬送ベルト１４によりコンタクトガラス３上の所定位置に給紙搬送されて停止する。コンタクトガラス３上にセットされ又は搬送された原稿は、読取ユニット１による読取りに供された後、読取りが終了すると、給紙搬送ベルト１４及び排紙ローラ１５により原稿排紙トレイ１６上に排紙される。この際、原稿セット検知センサ１７が後続の原稿を検知していれば、先行した原稿の場合と同様に、原稿台１２上の原稿をコンタクトガラス３上に給紙搬送させる。ここに、ＡＤＦ１１における給紙ローラ１３、給紙搬送ベルト１４及び排紙ローラ１５は、メインモータによって駆動される。
【００２１】
次に、作像ユニット２について説明する。この作像ユニット２はドラム状の感光体２１を中心とし、この感光体２１の周囲には、電子写真プロセスの工程順に、帯電チャージャ（図示せず）、書込ユニット２２、現像装置２３、転写チャージャ（図示せず）等が配設されている。前記書込ユニット２２は、レーザ出力ユニット（レーザダイオード、ポリゴンミラー等を内蔵）２４、結像レンズ２５、ミラー２６等によるレーザ書込光学系として構成されている。
【００２２】
また、前記作像ユニット２内の下部側には、各々転写紙２７を収納した第１〜第３トレイ２８〜３０が複数の給紙段として引出自在に装着されている。ここに、各トレイ２８〜３０に対する転写紙２７の紙種としては、普通紙の他、トレーシングペーパ、ＯＨＰ用のフィルム、再生紙、その他の用紙をセットし得るものとされ、後述する紙種設定操作によりどのトレイ２８〜３０にどの紙種の転写紙２７がセットされているかが設定される。各トレイ２８〜３０の給紙側には第１〜第３給紙装置３１〜３３が設けられており、共通な縦搬送ユニット３４を介して前記感光体２１の転写位置側に転写紙２７を給紙搬送することが可能とされている。さらに、前記感光体２１の転写位置よりも搬送方向下流側には、搬送ベルト３５、定着装置３６、排紙ローラ３７を含む排紙ユニット３８、排紙トレイ３９が順に設けられている。また、前記第１トレイ２８の上方には両面トレイ４０を含む両面給紙ユニット４１が配設されており、前記排紙ユニット３８中には転写紙２７の搬送経路を前記排紙トレイ３９側とこの両面トレイ４０側との何れかへ切り替える切替爪４２が設けられている。前記両面給紙ユニット４１の再給紙側は前記縦搬送ユニット３４に連通している。
【００２３】
これにより、第１〜第３トレイ２８〜３０に収納された転写紙２７は、第１〜３給紙装置３１〜３３によって選択的に給紙され、縦搬送ユニット３４により感光体２１の転写位置まで搬送される。一方、副走査方向に回転駆動される感光体２１側では書込ユニット２２による主走査方向の光書込みを受けて静電潜像が形成され、現像装置２３による現像を受けてトナー像が形成される。縦搬送ユニット３４により搬送された転写紙２７はこのトナー像先端と同期を取りながら、感光体２１と同速で駆動される搬送ベルト３５によって搬送され、トナー像の転写を受ける。転写後の転写紙２７は定着装置３６による定着を受けた後、排紙ローラ３７によって排紙トレイ３９上に排紙される。
【００２４】
ここに、両面コピーモード時のおもて面コピー終了後であれば、切替爪４２が切り替えられて転写紙２７が両面トレイ４０側に一旦排紙され、うら面側のコピーのための再給紙に供される。
【００２５】
次に、図２により操作部５１の構成について説明する。この操作部５１はプリントキー５２、テンキー５３、クリア・ストップキー５４、初期設定キー５５、モードクリアキー５６等のキー類を備えている他、液晶タッチパネル５７を備えている。この液晶タッチパネル５７には、画面毎に適宜出現する機能キー５８を含む入力操作部５９と、部数や装置状態等をメッセージ表示する表示部６０とを併せ持つ。
【００２６】
図３は、液晶タッチパネル５７の基本画面の表示例を示す。図示例の如く、液晶タッチパネル５７の基本画面上には、“自動用紙選択”キー，“変倍”キー等の機能キー５８が出現する。機能キー５８に関しては、キー機能表示部分を押下することにより、そのキー部分が黒く反転する。図示例は、“変倍”キーが押下されている様子を示す。また、機能の詳細を指定しなければならない場合は、該当するキー機能表示部分を押下することにより、詳細機能の設定画面が表示される。例えば、図５は、図３の表示状態から“変倍”キーを押下した場合に展開される倍率設定モード用の表示内容を示す。また、図６は、図５の表示状態から“倍率補正”キーを押下した場合に展開される紙種別倍率設定モード用の表示内容を示す。また、図４は図２に示す操作部５１上で初期設定キー５５を押下することにより展開される紙種設定モード用の表示内容を示す。何れにしても、液晶タッチパネル５７は、ドット表示器を使用しているので、その時の最適な表示をグラフィカルに行うことができる。なお、これらの図３ないし図６に示す表示内容に基づく設定操作等については後述する。
【００２７】
次に、電装制御系のハードウェア構成を図７により説明する。デジタル複写機全体を制御するメインコントローラ６１には、前記操作部５１や前記ＡＤＦ１１の他に、ＩＰＵ（イメージ・プロセシング・ユニット＝画像処理ユニット）６２が接続されている。これらの分散制御装置５１，１１，６２とメインコントローラ６１とは、必要に応じて機械の状態、動作指令等のやり取りを行う。さらに、転写紙２７の搬送に必要なメインモータや各種クラッチ等がＩ／Ｏ６３を介してメインコントローラ６１に接続されている。また、前記ＡＤＦ１１の原稿入口部には自動送りする原稿のサイズを検知する反射型の原稿サイズ検知センサ６４が設けられている。
【００２８】
図８は、前記ＩＰＵ６２の内部構成を示す。このＩＰＵ６２には、上述した読取ユニット１や書込ユニット２２の制御を行なうＣＰＵ７１が設けられている。このＣＰＵ７１にはバスラインを介して、制御用のプログラムなどを格納したＲＯＭ７２や各種データを記憶するＲＡＭ７３、画像メモリコントローラ７４、前記ＣＣＤイメージセンサ１０、Ａ／Ｄコンバータ７５、２色分離・シェーディング補正回路７６、フィルタ補正、変倍色データ膨張、γ補正等を行なう第１画像処理部７７、後述する画像処理を行なうとともに処理画像信号の送り先を画像メモリコントローラ７４と書込ユニット２２とへの切り替えを行なう第２画像処理部７８が接続されている。また、前記ＣＰＵ７１には、コンタクトガラス３上に原稿をセットして画像読取を行なう場合にその原稿サイズを検知する反射型の原稿サイズ検知センサ７９が接続されている。
【００２９】
図９は、前記第２画像処理部７８の内部構成を示す。この第２画像処理部７８には、第１画像処理部７７で画像処理された画像データの読込時に画像処理を行なう各種の回路、具体的には、領域をマスクするスキャナマスク処理回路８１、色変換処理回路８２、色消去処理回路８３、ビット反転処理回路８４、ページや日付や特殊文字等を合成する印字合成処理回路８５等が設けられている。印字合成処理回路８５に接続されている印字コア８６では、ページ印字のページを作成したり、スタンプ文字等の文字コードを取り出して印字を作成し、印字イメージデータを発生させる。また、画像データ選択回路８７は、前記処理回路８１〜８５で画像処理された画像データをスルーで画質コア８８に出力するか、画像メモリコントローラ７４からの画像データを画質コア８８に出力するか、画像処理された画像データに対して画像メモリコントローラ７４からの画像データを合成処理回路８９で合成したものを画質コア８８に出力するかを選択する。
【００３０】
図１０，図１１により前記画像メモリコントローラ７４の詳細を説明する。画像メモリコントローラ７４は、１次圧縮部９１と１次伸長部９２と、１次画像データの保存メモリである画像メモリＤＲＡＭ９３（バンクＡ，バンクＢ）、２次圧縮伸長部９４、大容量メモリであるＨＤ９５を有している。
【００３１】
画像メモリコントローラ７４による画像データの保存動作は図１０に示すように、画像データＶ１は無条件に合成処理回路８９に供給され、既に画像メモリ９３，９５に保存されている画像データとの合成を行なう。合成処理回路８９で処理された画像データＶ２は、１次圧縮部９１によりデータを圧縮され（Ｖ３）、圧縮後のデータを画像メモリＤＲＡＭ９３に書き込むと同時に２次圧縮伸長部９４に送られ（Ｖ４）、２次圧縮伸長部９４で更に圧縮を行なった後にＨＤ９５に送られて（Ｖ５）保存される。
【００３２】
画像出力時には図１１に示すように、出力対象となる画像データが画像メモリＤＲＡＭ９３に格納されている場合には、１次伸長部９２で画像データの伸長を行ない、伸長後の画像データ、もしくは、伸長後の画像データと入力データとの画像合成を行なった後のデータを出力する。出力対象となる画像データが画像メモリＤＲＡＭ９３に格納されていない場合には、ＨＤ９５に格納されている出力対象画像データを２次圧縮伸長部９４で伸長を行ない、伸長後の画像データを画像メモリＤＲＡＭ９３に書き込んでから、上述の画像出力動作を行なう。
【００３３】
ちなみに、原稿画像１枚に対してコピー枚数が１枚の場合には、本来、画像データを画像メモリＤＲＡＭ９３に記憶させる必要はないが、要求されるコピー枚数が複数枚の場合には毎回スキャニングすることを回避でき、転写紙ジャムが発生した場合でも、再度原稿をスキャニングする必要がない等の点を考慮して、スキャニングして得られた画像データを無条件に画像メモリＤＲＡＭ９３及びＨＤ９５に記憶させるようにしている。
【００３４】
ここで、本実施の形態のデジタル複写機は、コンタクトガラス３上にセットされ又はＡＤＦ１１により搬送された原稿のサイズを検知する原稿サイズ検知手段と、複数のトレイ２８〜３０に関して各トレイ２８〜３０内にセットされている転写紙２７の紙種を設定する紙種設定手段と、画像を形成する転写紙２７の紙種を選択する紙種選択手段と、定型的な画像形成倍率を設定する倍率設定手段と、定型的な画像形成倍率に対する倍率補正値を紙種毎に設定する紙種別倍率設定手段と、原稿サイズと画像形成倍率又は倍率補正値とに基づき最適サイズの転写紙２７を有するトレイ２８〜３０を自動的に選択する自動用紙選択手段との機能を備えている。
【００３５】
紙種設定手段とは、初期設定キー５５の押下に基づき展開された紙種設定モード用の表示画面でのキー操作に基づき、ＲＯＭ７２に格納されたプログラムに従ってＣＰＵ７１により行われる処理である。この処理により、トレイ２８〜３０毎の紙種が設定される。具体的には、操作部５１上の初期設定キー５５を押下することにより、液晶タッチパネル５７の画面上には図４に示すような紙種設定モード用の画面が出現し、各トレイ２８〜３０毎に紙種の設定が可能となる。各トレイ２８〜３０毎に設定可能な紙種は、“普通紙”“トレペ（トレーシングペーパ）”“フィルム”“再生紙”であり、画面上で“第１トレイ”“第２トレイ”“第３トレイ”キーにより設定すべき給紙段を選択後、“普通紙”“トレペ（トレーシングペーパ）”“フィルム”“再生紙”キーの何れかの紙種キーを選択することにより紙種が設定される。これら以外の紙種の場合には、“表示なし”キーを選択する。紙種設定は“終了”キーを押下することにより終了し、図３に示すような基本画面に戻る。
【００３６】
この基本画面では、各給紙段の紙種が転写紙サイズ表示とともに表示される。図示例の基本画面では、第１トレイ２８にはＡ４横サイズ・普通紙がセットされており（表示は“Ａ４Ｙ  普”）、第２トレイ２９にはＡ４縦サイズ・トレーシングペーパがセットされており（表示は“Ａ４Ｔ  ト”）、第３トレイ３０にはＡ４縦サイズ・その他の用紙がセットされている（表示は“Ａ３Ｔ    （紙種表示なし）”）例を示している。この他、“フィルム”がセットされている場合には、“Ａ４Ｙ  フ”の如く表示される。
【００３７】
よって、基本画面上における“Ａ４Ｙ  普”キー、“Ａ４Ｔ  ト”キー等は紙種選択手段の一種としても機能する。
【００３８】
倍率設定手段とは、図３に示す基本画面において、“変倍“キーの押下に基づき展開された図５に示すような倍率設定モード用の表示画面でのキー操作に基づき、ＲＯＭ７２に格納されたプログラムに従ってＣＰＵ７１により行われる処理である。この処理により、拡大又は縮小の定型的な画像形成倍率が設定される。即ち、拡大用の倍率キーとしては、“１１５％”“１２２％”“１４１％”“２００％”“４００％”キーが用意され、縮小用の倍率キーとしては、“５０％”“７１％”“８２％”“８７％”“９３％”キーが用意され、何れかの倍率設定が可能とされている。
【００３９】
紙種別倍率設定手段とは、図５に示す画面において、“倍率補正”キーの押下に基づき展開された図６に示すような紙種別倍率設定モード用の表示画面でのキー操作に基づき、ＲＯＭ７２に格納されたプログラムに従ってＣＰＵ７１により行われる処理である。この処理により、紙種毎に定型的な画像形成倍率に対する倍率補正値が設定される。具体的には、倍率補正値を設定すべき紙種を選択するために“普通紙”“トレペ”“フィルム”“その他”キーの何れかを押下した後、対応するキーの補正倍率（縦）、補正倍率（縦）における“−”キー又は“＋”キーを所望回数押下することにより倍率が増減補正されて倍率補正値が設定される。図示例では、“−”キー又は“＋”キーを押下する毎に０．１％ずつ倍率が増減するように設定されている。補正倍率は縦、横で独立して設定し得る。ここに、この紙種別倍率設定手段により設定された紙種毎の倍率補正値は、不揮発性メモリ構成の下に保存されており、再設定し直さない限り、図６に例示するような設定内容は、電源スイッチ（図示せず）をオフしても、モードクリアキー５６を押下してもクリアされないように構成されている。また、紙種別倍率設定モード用の表示画面上における“普通紙”“トレペ”“フィルム”“その他”キーは紙種選択手段の一種としても機能する。
【００４０】
ここに、このような紙種別倍率設定手段による倍率補正値の設定と、紙種選択手段との対応関係について説明する。倍率補正値の設定手順として、最初に給紙段を選択して画像形成を行いたい紙種を選択した後（例えば、図３に示す基本画面で“Ａ４Ｙ  普”キーを押下した後）、図６に示す紙種別倍率設定モードの画面を出現させて倍率補正値を設定しようとする場合には、この図６に示す画面に切換えられた時点で、紙種を示す“普通紙”キー部分が黒く反転した状態で出現するので、現在、紙種として普通紙が選択され、普通紙を対象としていることが判る。これにより、事前に紙種を選択指定した状態で画面が切換わっても、その紙種が判るので、先に選択した紙種が何であったかを覚えておくような必要がなく、そのまま対応関係を採れるので、倍率補正値の設定作業の操作性のよいものとなる。
【００４１】
逆に、事前に紙種を選択することなく、図６に示す紙種別倍率設定モードの画面で始めて設定対象となる紙種を選択してからその倍率補正値を設定した場合には、図３に示すような基本画面に戻ったときに、紙種別倍率設定モードの画面で選択された紙種に対応する給紙段がそのまま選択されることになり、選択した紙種の対応関係が維持される。倍率補正値の設定操作を行うということは、その紙種での画像形成を意図していることが多いので、基本画面に戻った場合に対応する紙種の給紙段がそのまま選択されることは、紙種の選択作業性が向上することになる。
【００４２】
何れにしても、給紙段選択時に紙種を選択するか、倍率補正値の設定時に紙種を選択するかの前後関係を問わず、何れか一方の操作時に選択しておけばよいものとなる。
【００４３】
自動用紙選択手段とは、図３に示す基本画面において、“自動用紙選択”キーが押下された場合に、ＲＯＭ７２に格納されたプログラムに従ってＣＰＵ７１により行われる処理である。具体的には、原稿サイズと画像形成倍率又は倍率補正値とに基づき最適サイズの転写紙２７を有するトレイ２８〜３０を自動的に選択する処理である。ここに、この自動用紙選択は、紙種設定の有無、倍率補正値の設定の有無等に応じて異なる処理として実行される。まず、画像を形成したい紙種が特に選択されていない場合には、全てのトレイ２８〜３０中から原稿サイズと倍率とに基づく最適サイズの転写紙２７を有するトレイ２８〜３０が選択される。即ち、紙種を考慮することなく、トレイ２８〜３０の選択が行われるものであり、本来の自動用紙選択手段としての機能である。
【００４４】
次に、紙種別の倍率補正値の設定に際して、“普通紙”“トレペ”“フィルム”“その他”キーの何れかの操作により紙種が選択されて場合について説明する。この場合には、その紙種選択が自動用紙選択に際してもそのまま有効とされ、用紙選択の対象紙種が選択された紙種に限定される。例えば、紙種別の倍率補正値の設定に際して、“トレペ”キーが押下されてトレーシングペーパなる紙種が選択されていれば、自動用紙選択に際してもトレーシングペーパがセットされている給紙段（トレイ２８〜３０）のみを対象としてその選択処理が行われる。これにより、ユーザの所望する紙種なる最適な転写紙２７で画像形成される確率が高くなる。
【００４５】
もっとも、現実には普通紙を除けば、同一紙種の転写紙２７が異なる給紙段にセットされているケースは少ないとも考えられるので、次善の策として、選択されている紙種そのものだけでなく、同一傾向と考えられる紙種まで対象範囲を拡げて自動用紙選択処理を行わせるのが実用的である。例えば、紙種別の倍率補正値の設定時に普通紙が選択されていた場合には、自動用紙選択に際して、優先順位を付け、まずは普通紙がセットされている給紙段を対象に最適サイズの転写紙２７を有する給紙段を選択し、存在すればそのまま選択するが、最適サイズの転写紙２７が存在しなければ、普通紙に近い（同一傾向）の再生紙なる紙種がセットされている給紙段を対象として最適サイズの転写紙２７を有する給紙段を選択する処理を行う。存在すればそのまま選択するが、これでも存在しない場合には、表示なしの給紙段を対象とする。これによれば、次善の策ではあるが、最適サイズの転写紙２７を選択し得る確率が高まり、コピー効率が向上する。同様に、紙種別の倍率補正値の設定時にフィルムが選択されていた場合には、自動用紙選択に際して、優先順位を伴い、フィルム、表示なしの２種類の紙種を対象に自動用紙選択処理が行われ、紙種別の倍率補正値の設定時にトレーシングペーパが選択されていた場合には、自動用紙選択に際して、優先順位を伴い、トレーシングペーパ、表示なしの２種類の紙種を対象に自動用紙選択処理が行われる。
【００４６】
このように、選択されている紙種に応じて自動用紙の選択方法を変更することにより、画像形成効率を損なうことなく、ユーザが所望する形態での画像形成が可能となる確率が高まる。
【００４７】
【発明の効果】
請求項１記載の発明によれば、定型的な画像形成倍率に対する倍率補正値を紙種毎に設定する紙種別倍率設定手段を備えているので、紙種毎に倍率を微調整設定することができ、画像を形成する転写紙の紙種に応じた対応を採ることができ、この結果、普及層クラスの多機能性と広幅機種による多種類の転写紙への適応性との両立を適正に実現することができる。
【００４８】
請求項２記載の発明によれば、対象紙種中にトレーシングペーパやフィルム用紙を含んでいるので、設計図等の図面複写においてもその倍率微調整を適正に行わせることができる。
【００４９】
請求項３記載の発明によれば、一旦設定された紙種毎の倍率補正値が電源オフでもモードクリアでも初期化されずに保存されるようにしたので、次の使用時にもそのまま使用することができ、多用される倍率補正値に関しては標準化を図ることができ、倍率補正値の設定に関する操作性を向上させることができる。
【００５０】
請求項４記載の発明によれば、紙種選択手段により既に給紙段の紙種が選択されていれば、紙種別倍率設定手段による倍率補正値の設定時もその紙種が自動的に設定対象とすることができるので、紙種毎の倍率補正値の設定と紙種の選択との対応性がよく、設定・選択の操作性を向上させることができる。
【００５１】
請求項５記載の発明によれば、紙種別倍率設定手段により倍率補正値が設定されている場合には、紙種選択手段又は自動用紙選択手段により選択された給紙段の転写紙の紙種に対応する補正値が用いられるので、紙種の変更によって用いる倍率補正値が狂うことを防止できる。
【００５２】
請求項６記載の発明によれば、選択された紙種を優先させた画像形成動作をより適正に行わせることができる。
【００５３】
請求項７記載の発明によれば、仮に選択された紙種の転写紙が存在しない場合でも、次善の策として、極力要望に近い紙種で画像形成動作を行わせることができる。
【００５４】
請求項８記載の発明によれば、紙種にこだわらない場合には、通常通りに自動用紙選択手段を機能させることができる。
【図面の簡単な説明】
【図１】本発明の一実施の形態のデジタル複写機全体の概略構造を示す正面図である。
【図２】操作部の構成例を示す平面図である。
【図３】液晶タッチパネルの基本画面を示す平面図である。
【図４】液晶タッチパネルの紙種設定モード用の画面を示す平面図である。
【図５】液晶タッチパネルの倍率設定モード用の画面を示す平面図である。
【図６】液晶タッチパネルの紙種別倍率設定モード用の画面を示す平面図である。
【図７】電装制御系のハードウェア構成を示すブロック図である。
【図８】ＩＰＵの内部構成を示すブロック図である。
【図９】第２画像処理部の内部構成を示すブロック図である。
【図１０】画像メモリコントローラの収納動作の詳細を示すブロック図である。
【図１１】画像メモリコントローラの収納動作の詳細を示すブロック図である。
【符号の説明】
２７            転写紙
２８〜３０      給紙段
【図１】
0003630271.tif 000002
【図２】
0003630271.tif 000003
【図３】
0003630271.tif 000004
【図４】
0003630271.tif 000005
【図５】
0003630271.tif 000006
【図６】
0003630271.tif 000007
【図７】
0003630271.tif 000008
【図８】
0003630271.tif 000009
【図９】
0003630271.tif 000010
【図１０】
0003630271.tif 000011
【図１１】
0003630271.tif 000012